(57)【要約】【課題】廃棄物処分場に埋め立てた廃棄物の敷き均し・転圧、散水、給気、排気及び廃棄物分解・安定化等を、作業環境の悪い埋立地内での有人作業を削減しながら、効率的に行うことができる廃棄物処分場を提供すること。【解決手段】廃棄物処分場の埋立地１内に柱部材２を立設するとともに、この柱部材２を軸として回転する梁状部材３を、柱部材２に対して昇降可能に略水平に延設し、梁状部材３に、廃棄物の敷き均し装置、転圧装置、散水装置、給気装置、排気装置及び廃棄物分解・安定化装置のうちの少なくとも１つの装置３２、３３を設けるようにする。【選択図】図１
2005218989.tif 000002
【特許請求の範囲】
【請求項１】
廃棄物処分場の埋立地内に柱部材を立設するとともに、該柱部材を軸として回転する梁状部材を、柱部材に対して昇降可能に略水平に延設し、該梁状部材に、廃棄物の敷き均し装置、転圧装置、散水装置、給気装置、排気装置及び廃棄物分解・安定化装置のうちの少なくとも１つの装置を設けたことを特徴とする廃棄物の処分場。
【請求項２】
梁状部材に、廃棄物の敷き均し装置、転圧装置、散水装置、給気装置、排気装置及び廃棄物分解・安定化装置を交換可能に取り付けたことを特徴とする請求項１記載の廃棄物の処分場。
【請求項３】
柱部材に、給水管路、給気管路、排水管路及び排気管路のうちの少なくとも１つの管路を設けたことを特徴とする請求項１又は２記載の廃棄物の処分場。
【請求項４】
柱部材により屋根を支持するようにしたことを特徴とする請求項１、２又は３記載の廃棄物の最終処分場。
【発明の詳細な説明】
【技術分野】
【０００１】
本発明は、廃棄物処分場に関し、特に、廃棄物処分場に埋め立てた廃棄物の敷き均し・転圧、散水、給気、排気及び廃棄物分解・安定化等を効率的に行うことができる廃棄物処分場に関するものである。
【背景技術】
【０００２】
従来、廃棄物処分場に埋め立てた廃棄物を敷き均し・転圧を行う場合、運転手がバックホウやブルドーザーを運転して敷き均し・転圧を行っている。
しかしながら、その際に発生する粉塵、廃棄物から発生する悪臭や有毒ガスのために、敷き均し・転圧の作業環境は非常に悪く、特に、閉鎖空間での作業では、換気や散水等の処理が必要となる。
また、この種の廃棄物処分場においては、粉塵、悪臭や有毒ガスの発生を制御するために、散水装置、給気装置、排気装置等を廃棄物処分場の側壁や屋根等に設置しているが、これらの装置が固定状態で設置されているため、廃棄物処分場全体を有効に制御できないという問題があった。
【０００３】
また、発生した有毒ガスや浸出水の除去、排出を行うため、埋立地底部から側部にガス除去管や排出管を配設する必要があり、埋立作業時に破損しないようにするためには、保護あるいは作業中の注意が必要であり、コストの増大や作業性の低下等の問題があった。
【０００４】
さらに、廃棄物処分場に屋根を設置する場合、埋立地の面積が広くなると屋根の荷重が大きくなり、屋根が不経済な構造になる。
また、従来の重機による敷き均し・転圧を行う場合では、埋立高さに作業空間を加えた屋根の高さが必要となり、横風の影響を大きく受けることも屋根が不経済な構造になる原因となっている。
【発明の開示】
【発明が解決しようとする課題】
【０００５】
本発明は、上記従来の廃棄物処分場が有する問題点に鑑み、廃棄物処分場に埋め立てた廃棄物の敷き均し・転圧、散水、給気、排気及び廃棄物分解・安定化等を、作業環境の悪い埋立地内での有人作業を削減しながら、効率的に行うことができる廃棄物処分場を提供することを目的とする。
【課題を解決するための手段】
【０００６】
上記目的を達成するため、本発明の廃棄物処分場は、廃棄物処分場の埋立地内に柱部材を立設するとともに、該柱部材を軸として回転する梁状部材を、柱部材に対して昇降可能に略水平に延設し、該梁状部材に、廃棄物の敷き均し装置、転圧装置、散水装置、給気装置、排気装置及び廃棄物分解・安定化装置のうちの少なくとも１つの装置を設けたことを特徴とする。
【０００７】
この場合において、梁状部材に、廃棄物の敷き均し装置、転圧装置、散水装置、給気装置、排気装置及び廃棄物分解・安定化装置を交換可能に取り付けることができる。
【０００８】
また、柱部材に、給水管路、給気管路、排水管路及び排気管路のうちの少なくとも１つの管路を設けることができる。
【０００９】
また、柱部材により屋根を支持するようにすることができる。
【発明の効果】
【００１０】
本発明の廃棄物処分場によれば、廃棄物処分場の埋立地内に柱部材を立設するとともに、該柱部材を軸として回転する梁状部材を、柱部材に対して昇降可能に略水平に延設し、該梁状部材に、廃棄物の敷き均し装置、転圧装置、散水装置、給気装置、排気装置及び廃棄物分解・安定化装置のうちの少なくとも１つの装置を設けることにより、廃棄物処分場全体の環境を制御することによって、粉塵、悪臭や有毒ガスの発生を抑制しながら、遠隔操作により無人で廃棄物の敷き均し・転圧、散水、給気、排気及び廃棄物分解・安定化を行うことができ、これにより、廃棄物処分場の埋立地内での作業員による作業をほとんど省略するとともに、重機の使用がなくなることから、屋根を設ける場合でも屋根の高さを低く抑え、廃棄物処分場の構築コストを低廉にできる。
【００１１】
また、梁状部材に、廃棄物の敷き均し装置、転圧装置、散水装置、給気装置、排気装置及び廃棄物分解・安定化装置を交換可能に取り付けるようにすることにより、廃棄物の敷き均し装置、転圧装置、散水装置、給気装置、排気装置及び廃棄物分解・安定化装置で、柱部材及び梁状部材を共用することが可能となり、廃棄物処分場の埋立地内に投入された廃棄物の処理を円滑に行うことができるとともに、その処理コストを低廉にできる。
【００１２】
また、柱部材に、給水管路、給気管路、排水管路及び排気管路のうちの少なくとも１つの管路を設けることにより、埋立作業時における各管路の破損を防止することができるとともに、廃棄物処分場の構築コストを低廉にできる。
【００１３】
また、柱部材により屋根を支持するようにすることにより、屋根の構築コストを低廉にできる。
【発明を実施するための最良の形態】
【００１４】
以下、本発明の廃棄物処分場の実施の形態を図面に基づいて説明する。
【実施例１】
【００１５】
図１〜図２に、本発明の廃棄物処分場の一実施例を示す。
この廃棄物処分場は、廃棄物処分場の埋立地１内に柱部材２を立設するとともに、この柱部材２を軸として回転する梁状部材３を、柱部材２に対して昇降可能に略水平に延設し、梁状部材３に、廃棄物の敷き均し装置、転圧装置、散水装置、給気装置、排気装置及び廃棄物分解・安定化装置のうちの少なくとも１つの装置（図示の実施例では、廃棄物の敷き均し装置３２及び転圧装置３３）を設けるようにしている。
【００１６】
梁状部材３は、棒状部材のほか、幅のある板状部材や２本以上の棒状・トラス状部材等で構成され、柱部材２に上下に摺動可能に設けられたリング部３１を介して、柱部材２に対して昇降可能に略水平に延設するようにしている。
【００１７】
そして、図示の実施例のように、梁状部材３に、複数の羽根を備えた敷き均し装置３２と、複数のローラーを備えた転圧装置３３を設けるようにしている。
【００１８】
この梁状部材３には、廃棄物の敷き均し装置３２及び転圧装置３３のほか、必要に応じて、散水装置、給気装置、排気装置及び廃棄物分解・安定化装置（図示省略）を付設したり、交換可能に取り付けることができる。
【００１９】
そして、例えば、廃棄物の敷き均し装置３２及び転圧装置３３に散水装置を付設することにより、埋立作業時の埃の飛散防止を行うことができる。
なお、これらの装置等に対する配線、配管（給水管路、給気管路、排水管路及び排気管路）は柱部材２内に内蔵することができる。
【００２０】
これにより、廃棄物から発生した有毒ガスは、柱部材２から上方に排出することができる。
また、浸出水は、柱部材２から地下の浸出水排出管５を介して排出するようにしたり、図２に示すように、ポンプ（図示省略）により柱部材２から上方に排出することができる。
【００２１】
梁状部材３の駆動は、柱部材２自体が回転し駆動するようにしたり、梁状部材３の中央や端部に駆動部を設け、この駆動部により駆動するようにすることができる。このほか、側壁に駆動部を設けるようにしたり、埋立地側壁の上部から牽引しながら駆動するようにすることもできる。
この場合、駆動部は、ギア式、チェーン式、クローラ方式、タイヤ方式、ローラー方式等の任意の方式を採用することができる。
また、梁状部材３は、ある程度の不陸にも追随できるように、例えば、敷き均し装置３２や転圧装置３３を上下動可能に支持するスプリング等を配設することができる。また、廃棄物４の付着を防ぐ装置や付着した廃棄物４を取り除く装置を設けておけば、作業員が埋立地内部に入る回数を削減することができる。
【００２２】
梁状部材３の昇降は、廃棄物４の埋立高さに従い上昇するようにしたり、廃棄物４の埋立高さに関係なく昇降制御できるように構成することができる。
昇降を制御する場合は、側壁上部や柱部材２上部から吊り上げる方法、側壁部や柱部材２に螺旋状あるいは水平、垂直に凹凸を設置しこの凹凸に従う方法、梁状部材３が柱部材２を挟みながら移動する方法を採用することができる。
この場合、柱部材２及び梁状部材３が、敷き均し装置３２及び転圧装置３３等の荷重や埋め戻しに対する反力等に耐えられる強度を有することが必要となる。
【００２３】
敷き均し装置３２の敷き均し方法は、排土板方式やスクリュー方式等を採用することができる。排土板方式では、排土板の角度、高さが自動的に調整される機能を持たせれば、必要な高さに敷き均すことができ、外周に廃棄物４が溜まることを防ぐことができる。
スクリュー方式では、スクリューの回転方向を正逆回転できるようにすれば、必要な高さに敷き均すことができ、外周に廃棄物４が溜まることを防ぐことができる。
【００２４】
転圧装置３３は、転圧装置の重さにより転圧するクローラ方式、タイヤ方式、ローラー方式のほか、柱部材２と側壁部の反力により転圧する方式やプレートコンパクタ等の輾圧板を用いた輾圧方式等を採用することができる。
この転圧装置３３は、ある程度の不陸にも追随できるように、スプリング等を配設することができ、また、廃棄物４の付着を防ぐ装置や、付着した廃棄物４を取り除く装置を設けることもできる。
また、転圧装置３３に振動機能を加えることにより、さらに転圧効果を増大させることができる。
転圧装置３３の動力は、エンジンやモーター等を採用することができるが、閉鎖空間の場合、排気ガスを排出しない電力を使用したモーターが望ましい。
屋根６へのソーラパネルの設置や、柱部材２の上への風車の設置を行い、電力を供給するようにすれば、さらにクリーンな処分場とすることができる。
【００２５】
敷き均し装置３２と転圧装置３３は一体であってもよいし、分離されていてもよい。
また、それらの本数は、図５に示すように、１本でもよいし、複数本配設することもできる。
ただし、分離した場合や複本数の場合は、各装置が接触しないよう操作あるいは制御する必要がある。
【００２６】
柱部材２は、例えば、図５（ｂ）〜（ｄ）に示すように、埋立地１箇所に対して１本に限るものではなく、埋立地の形状により、複数本配設することができる。
この場合、梁状部材３が干渉して接触しないように、操作あるいは制御する必要がある。
【００２７】
また、柱部材２を中心に回転しながら敷き均し・転圧を行うため、処分場の平面形状は、円形が望ましいが、梁状部材３に伸縮機能を持たせることにより、図５（ｈ）（ｉ）に記載したような矩形、多角形等の非円形の処分場にも対応することができる。
【００２８】
一方、本実施例では、柱部材２の内部に、給水管路、給気管路、排水管路及び排気管路のほか、電気配線及び燃料配管等を配設し、これらの管を利用して、浸出水・発生ガスの除去、水・空気・電気・燃料等の供給を行うようにしている。
このように、柱部材２内に必要な管路を配設することにより、埋立作業時にそれらの管路を破損する危険がなくなる。
【００２９】
また、柱部材２は、廃棄物処分場の屋根６の中心を支持するようにしている。
これにより、屋根６の荷重を柱部材２で支持することができ、屋根６の高さを低く抑えることができ、屋根６の構築コストを低廉にできる。
【００３０】
屋根６は、図３〜図４に示すように、廃棄物投入部６１のみを可動とするとともに、搬送車用覆蓋６２を設けるようにしておけば、搬入車両を使用する場合でも屋根６の高さを低くすることができる。
また、強風時等は、廃棄物投入部６１を閉めるとともに、搬送車用覆蓋６２の移動や折り畳みを行い、安全を確保することができる。
もちろん、別の場所で廃棄物を降ろし、ベルトコンベアや配管等で埋立地に投入することもできる。
【００３１】
また、屋根６の投入口は、埋立地全周のどこからでも投入できるようにしておけば、敷き均し作業を軽減することができる。
屋根６の開閉方法は、屋根の材質にもよるが、シートであればファスナ方式、板状であれば扉方式、ジャバラ状であればスライド方式を採用することができる。
【００３２】
柱部材２は、梁状部材３あるいは屋根６の荷重を支持できる構造、強度を有すれば、材料は問わない。
例えば、材料を鋼管又は中空コンクリート管とし、管内部に、給水管路、給気管路、排水管路及び排気管路のほか、電気配線及び燃料配管等を配設することができる。
【００３３】
以上、本発明の廃棄物処分場について、実施例に基づいて説明したが、本発明は上記実施例に記載した構成に限定されるものではなく、その趣旨を逸脱しない範囲において適宜構成を変更することができる。
【産業上の利用可能性】
【００３４】
本発明の廃棄物処分場は、廃棄物処分場に埋め立てた廃棄物の敷き均し・転圧、散水、給気、排気及び廃棄物分解・安定化等を、作業環境の悪い埋立地内での有人作業を削減しながら、効率的に行うことができるようにしたものであって、廃棄物処分場（廃棄物の中間処理場等を含む）改善の用途に好適に用いることができる。
【図面の簡単な説明】
【００３５】
【図１】本発明の廃棄物処分場の一実施例を示し、（ａ）は透視図、（ｂ）は縦断面図である。
【図２】廃棄物処分場の他の実施例を示し、（ａ）は透視図、（ｂ）は縦断面図である。
【図３】廃棄物処分場の屋根を示し、（ａ）は廃棄物投入部を閉じた状態を示す平面図、（ｂ）は廃棄物投入部を開いた状態を示す平面図である。
【図４】廃棄物処分場の屋根と搬送車用覆蓋を示し、（ａ）は廃棄物投入時を示す平面図、（ｂ）は搬送車用覆蓋を移動させた状態を示す平面図、（ｃ）は（ａ）のＡ−Ａ線断面図、（ｄ）は（ａ）のＢ−Ｂ線断面図である。
【図５】（ａ）〜（ｉ）は埋立地の平面図、（ｊ）は埋立地の縦断面図である。
【符号の説明】
【００３６】
１    埋立地
２    柱部材
３    梁状部材
３１  リング部
３２  敷き均し装置
３３  転圧装置
４    廃棄物
５    浸出水排出管
６    屋根
６１  廃棄物投入部
６２  搬送車用覆蓋
【図１】
2005218989.tif 000003
【図２】
2005218989.tif 000004
【図３】
2005218989.tif 000005
【図４】
2005218989.tif 000006
【図５】
2005218989.tif 000007